(57)【要約】【課題】メンテナンス性に優れた排水管構造を提供する。【解決手段】排水管構造１０は、ディスポーザー３及び生活機器４からの排水を排水横枝管４０に流入させるものである。排水管構造１０は、ディスポーザー３に接続されたディスポーザー用排水管２０と、大曲継手３０と、生活機器用排水管５０とを備えている。大曲継手３０は、ディスポーザー用排水管２０と排水横枝管４０とを接続する大曲管３１と、大曲管３１の湾曲部分に連結された継手枝管３５とを有している。生活機器用排水管５０は継手枝管３５と生活機器４とを連結している。継手枝管３５は、継手枝管３５の大曲管３１との連結部の管底が排水横枝管４０の管中心よりも高い位置に位置するように設けられている。【選択図】図１
2008101413.tif 000002
【特許請求の範囲】
【請求項１】
ディスポーザーとディスポーザー以外の生活機器とからの排水を排水横枝管に流入させる排水管構造であって、
上記ディスポーザーに接続されたディスポーザー用排水管と、
上記ディスポーザー用排水管と上記排水横枝管とを接続する大曲管と、該大曲管の湾曲部分に連結された継手枝管とを有する大曲継手と、
上記継手枝管と上記生活機器とを連結する生活機器用排水管と、
を備え、
上記継手枝管は、その上記大曲管との連結部の管底が上記排水横枝管の管中心よりも高い位置に位置するように設けられている排水管構造。
【請求項２】
請求項１に記載された排水管構造において、
上記継手枝管は、その上記大曲管との連結部の管底が上記排水横枝管の管頂よりも高い位置に位置するように設けられている排水管構造。
【請求項３】
請求項１又は２に記載された排水管構造において、
上記継手枝管は上記排水横枝管と略平行に配置されている排水管構造。
【請求項４】
請求項１乃至３のいずれか一項に記載された排水管構造において、
上記継手枝管は、その内径が上記ディスポーザー用排水管の内径よりも小さい排水管構造。
【請求項５】
請求項１乃至４のいずれか一項に記載された排水管構造において、
上記大曲管は、大曲管本体と、該大曲管本体に接続され、該大曲管本体の内径よりも大きく且つ上記ディスポーザー用排水管の外径と略同一の内径を有する上記ディスポーザー用排水管連結用の開口部とを有し、上記継手枝管は上記大曲管本体の該開口部側の端部に連結されている排水管構造。
【請求項６】
請求項１乃至５のいずれか一項に記載された排水管構造において、
上記継手枝管は、上記排水横枝管の延びる方向と反対方向に延びるように配置されている排水管構造。
【請求項７】
請求項１乃至６のいずれか一項に記載された排水管構造において、
上記継手枝管は、上記大曲管の内壁に開口する枝管本体と、上記ディスポーザー用排水管の延びる方向から視たときに、上記枝管本体から該枝管本体の開口部を覆うように上記大曲管の内方に向かって延びる庇部とを有する排水管構造。
【請求項８】
請求項７に記載された排水管構造において、
上記庇部の先端は、上記ディスポーザー用排水管の延びる方向からの平面視において、上記枝管本体の管底の端部と同位置か、又は該枝管本体の管底の端部よりも上記大曲管の内側にまで延びる排水管構造。
【請求項９】
ディスポーザーに接続されたディスポーザー用排水管と、ディスポーザー以外の生活機器から延びる生活機器用排水管とを排水横枝管に接続するための大曲継手であって、
上記ディスポーザー用排水管と上記排水横枝管とを接続する大曲管と、
該大曲管の湾曲部分に連結されており、上記生活機器用排水管に接続される継手枝管と、
を備え、
上記継手枝管は、その上記大曲管との連結部の管底が上記大曲管の排水横枝管側端部の管中心よりも該大曲管のディスポーザー用排水管側端部寄りに位置するように設けられている大曲継手。
【発明の詳細な説明】
【技術分野】
【０００１】
本発明は排水管構造及びそれに用いる大曲継手に関する。詳細には、ディスポーザー及びディスポーザー以外の生活機器からの排水を排水横枝管に流入させる排水管構造及びそれに用いる大曲継手に関する。
【背景技術】
【０００２】
従来、食物の屑などを細かく砕いて下水に流すためのディスポーザーと食洗機等のさらなる生活機器とを備えた流し台等の排水施設が知られている。
【０００３】
図６は、ディスポーザー１０３を備えた従来の排水施設１００の概略構成図である。ディスポーザー１０３はシンク１０２に連結されており、シンク１０２から流入する食物等の固形物を細かく破砕する。ディスポーザー１０３には、細かく破砕した固形物をシンク１０２から流入する排水と共に排出するためのディスポーザー用排水管１２０が接続されている。このディスポーザー用排水管１２０は三方継手１６０を介して排水横枝管１７０に連結されており、ディスポーザー用排水管１２０からの固形分を含む排水は、排水横枝管１７０を介して汚水管（図示せず）に流入するようになっている。
【０００４】
一方、食洗機１０４には、食洗機用排水管１４０が連結されている。食洗機用排水管１４０は、三方継手１６０を介して排水横枝管１７０に連結されており、食洗機１０４からの排水は食洗機用排水管１４０及び排水横枝管１７０を介して汚水管（図示せず）に流入するようになっている。
【０００５】
尚、ディスポーザー用排水管１２０は、破砕された食物屑等の固形分が流入するものであるため、比較的大きな内径（例えば、φ４０ｍｍ〜５０ｍｍ程度）に形成されている。一方、食洗機１０４は、上記ディスポーザー１０３のように比較的大きな固形物を排出するものではないため、食洗機用排水管１４０は比較的小さな内径（例えば、φ２５ｍｍ程度）に形成されている。このため、食洗機用排水管１４０は両端部の内径が相互に異なる異径ソケット１５０を介して三方継手１６０に接続されている。
【特許文献１】実開平５−７９１８５号公報
【発明の開示】
【発明が解決しようとする課題】
【０００６】
通常、図７に示すように、ディスポーザー用排水管１２０から排出される固形分を含んだ排水が食洗機用排水管１４０に流入しないように、ディスポーザー用排水管１２０に接続される三方継手１６０の枝管１６０ａは、上方から下方に向かって排水横枝管１７０側に傾斜するように形成されている。しかしながら、ディスポーザー用排水管１２０に一度に多量の排水が流入したような場合は、排水の一部が食洗機用排水管１４０側へも流入する場合がある。この場合、食洗機用排水管１４０側へ流入した排水が排水横枝管１７０に排水される際に、排水に混入している固形分が異径ソケット１５０や三方継手１６０等（特に、異径部分１５０ａ）に取り残されて堆積する虞がある。固形分が残留堆積すると、随時固形分を除去するメンテナンスを行う必要が生じるため、メンテナンス性に欠けるという問題がある。
【０００７】
例えば、特許文献１には、本管に分岐管が接続された三方継手において、分岐管を本管流入側に対して鋭角に接続すると共に、本管流入側を本管流出側よりも分岐管に近接して設けることにより、分岐管からの流体が本管流入側に向けて逆流するのを防止する技術が開示されている。具体的に、特許文献１の表１には、分岐管の延びる方向において、本管流入側の管底が本管流出側の管底の位置から本管流出側の管中心位置（特許文献１の図１中の一点破線Ｂ）までの間に位置するようにする例が記載されている。さらに詳細には、本管流出側の管底から本管流入側の管底までの距離が本管流出側の内径の約３割となるようにする例が記載されている。
【０００８】
上記特許文献１に記載された技術を三方継手１６０に適用することも考えられる。しかしながら、上記特許文献１に記載された技術では、十分に本管流入側への逆流を抑制することは困難である。上記特許文献１のように、分岐管に流入するものが流体であるような場合は、本管流入側への逆流が生じても、本管流入側が本管流出側よりも高い位置に位置しているため、本管流出側の水位の減少と共に本管流入側に逆流した流体が本管流出側に流出する。従って、大きな問題はさして生じない。それに対して、ディスポーザーからの排水のように固形分を含む場合は、上述のように、逆流が生じると固形分の残留堆積という問題が生じる。すなわち、特許文献１に記載された技術では、逆流に起因する固形分の残留堆積を十分に抑制することができない。
【０００９】
本発明は、斯かる点に鑑みてなされたものであり、その目的とするところは、メンテナンス性に優れた排水管構造を提供することにある。
【課題を解決するための手段】
【００１０】
上記課題を解決するために、本発明に係る排水管構造は、ディスポーザー及びディスポーザー以外の生活機器からの排水を排水横枝管に流入させる排水管構造であって、ディスポーザーに接続されたディスポーザー用排水管と、大曲継手と、生活機器用排水管とを備えている。大曲継手は、ディスポーザー用排水管と排水横枝管とを接続する大曲管と、大曲管の湾曲部分に連結された継手枝管とを有している。生活機器用排水管は継手枝管と生活機器とを連結している。継手枝管は、継手枝管の大曲管との連結部の管底が排水横枝管の管中心よりも高い位置に位置するように設けられている。言い換えれば、継手枝管の管底が排水横枝管の管中心よりも開口部寄りとなるように設けられている。
【００１１】
通常、排水横枝管の内径は排水横枝管に流入する排水の単位時間あたりの体積によって決定されている。具体的には、排水横枝管の内径は、単位時間あたりに流入する排水の体積が最も多くなるときに、排水横枝管における水位が排水横枝管の管中心程度となるように設計される。このため、上記構成のように、継手枝管の大曲管との連結部の管底が排水横枝管の管中心よりも高い位置に位置するようにすることによって、たとえ排水横枝管内の水位が上昇した場合であっても、ディスポーザー用排水管を流れる固形分を含む排水が継手枝管に流入することが効果的に抑制される。その結果、継手枝管や生活機器用排水管にディスポーザーからの排水に含まれる固形分が残留堆積することが抑制され、メンテナンス性が向上する。
【００１２】
継手枝管や生活機器用排水管にディスポーザーからの排水に含まれる固形分が残留堆積することをより確実に規制する観点から、継手枝管の大曲管との連結部の管底が排水横枝管の管頂よりも高い位置に位置するように設けられていることがより好ましい。言い換えれば、継手枝管の管底が排水横枝管の管頂よりも開口部寄りとなるように設けられていることが好ましい。
【００１３】
これによれば、不測の事態が生じて排水横枝管内の水位が排水横枝管の管頂にまで達したような場合においても、ディスポーザー用排水管を流れる固形分を含む排水の継手枝管への流入が確実に抑制される。その結果、特にメンテナンス性が向上する。
【００１４】
継手枝管は排水横枝管と略平行であることが好ましい。言い換えれば、継手枝管は略水平に配置されていることが好ましい。大曲継手の一方の開口部（排水横枝管側の開口部（受口であっても差し口であってもよい）の軸方向と略平行であることが好ましい。
【００１５】
継手枝管は、その内径がディスポーザー用排水管の内径よりも小さいことが好ましい。継手枝管には、生活機器からの固形物をそれほど含まない排水が流入するため、継手枝管はそれほど大口径である必要はない。また、継手枝管の内径を小さくすることによって、継手枝管の大曲管との連結部の管底が排水横枝管の管中心よりも高い位置に位置するように継手枝管を接続すると共に、大曲継手、ひいては排水管構造をコンパクト化することが可能となる。換言すれば、コンパクトな大曲継手においても、継手枝管の大曲管との連結部の管底が排水横枝管の管中心よりも高い位置に位置する構成が実現可能となる。
【００１６】
大曲管は、大曲管本体と、大曲管本体に接続され、大曲管本体の内径よりも大きく且つディスポーザー用排水管の外径と略同一の内径を有するディスポーザー用排水管連結用の開口部（受口であっても差し口であってもよい）とを有するものであってもよい。この場合、大曲管本体の内径よりも継手枝管の内径の方が小さいことが好ましい。また、継手枝管が大曲管本体の開口部側の端部に連結されていることが好ましい。すなわち、継手枝管が上記開口部と抵触しない範囲において大曲管本体のできるだけ上部に取り付けられていることが好ましい。これによれば、ディスポーザーからの排水に含まれる固形分が継手枝管内に残留することをより確実に抑制することができる。
【００１７】
継手枝管は、排水横枝管の延びる方向（大曲管の排水横枝管側の開口部の軸方向）と反対方向に延びるように配置されていることが好ましい。これによれば、継手枝管からの排水が排水横枝管にスムーズに流入する。尚、継手枝管は大曲管の湾曲部分であればどこに設けられていてもよく、また、複数設けられていてもよい。
【００１８】
継手枝管は、大曲管の内壁に開口する枝管本体と、ディスポーザー用排水管の延びる方向（大曲管のディスポーザー用排水管側の開口部の軸方向）から視たときに、枝管本体から枝管本体の開口部を覆うように大曲管の内方に向かって延びる庇部とを有するものであることが好ましい。これによれば、ディスポーザー用排水管を流れる排水が枝管本体に流入することが効果的に抑制される。通常、ディスポーザー用排水管内を流れる排水はディスポーザー用排水管の内壁を伝って流れていく。このため、ディスポーザー用排水管の庇部を設けない場合は、排水がディスポーザー用排水管の内壁を伝って枝管本体にも流入する虞がある。また、庇部を設けたとしても、庇部が小さく、ディスポーザー用排水管の延びる方向から視たときに、枝管本体の開口部を完全に覆っていない場合は、やはり排水がディスポーザー用排水管の内壁を伝って枝管本体にも流入する虞がある。ディスポーザー用排水管の延びる方向から視たときに、枝管本体の開口部を覆うような庇部を設けることによってディスポーザー用排水管の内壁を伝う排水の枝管本体への流入を効果的に抑制することができる。ディスポーザー用排水管の内壁を伝う排水の枝管本体への流入をより効果的に抑制する観点からは、庇部の先端が、ディスポーザー用排水管の延びる方向からの平面視において、枝管本体の管底の端部と同位置か、又は枝管本体の管底の端部よりも上記大曲管の内側にまで延びていることが特に好ましい。
【００１９】
尚、一般的に、ディスポーザー用排水管の内壁を伝って枝管本体へ流入する場合は、枝管本体にはそれほど固形分が入り込まず、排水が逆流したときほど大きな問題とはならない。このため、本発明にとって、庇部は必ずしも必須の構成ではない。
【００２０】
本発明に係る大曲継手は、ディスポーザーに接続されたディスポーザー用排水管と、ディスポーザー以外の生活機器から延びる生活機器用排水管とを排水横枝管に接続するためのものである。本発明に係る大曲継手は、ディスポーザー用排水管と排水横枝管とを接続する大曲管と、大曲管の湾曲部分に連結されており、生活機器用排水管に接続される継手枝管とを備えている。継手枝管は、その大曲管との連結部の管底が大曲管の排水横枝管側端部の管中心よりも大曲管のディスポーザー用排水管側端部寄りに位置するように設けられている。
【００２１】
上記構成によれば、たとえ、通常の最高水位である排水横枝管の管中心にまで排水横枝管内の水位が上昇した場合であっても、ディスポーザー用排水管を流れる固形分を含む排水が継手枝管に流入することが効果的に抑制される。その結果、継手枝管や生活機器用排水管にディスポーザーからの排水に含まれる固形分が残留堆積することが抑制され、メンテナンス性が向上する。
【００２２】
継手枝管や生活機器用排水管にディスポーザーからの排水に含まれる固形分が残留堆積することをより確実に規制する観点から、継手枝管の大曲管との連結部の管底が排水横枝管の管頂よりも高い位置に位置するように設けられていることがより好ましい。
【発明の効果】
【００２３】
以上、説明したように、本発明によれば、排水管構造の高いメンテナンス性が実現される。
【発明を実施するための最良の形態】
【００２４】
以下、本発明を実施した好ましい形態について、流し台としての排水施設１を例に挙げて詳細に説明する。尚、以下に説明する形態は単なる例示であって本発明は下記実施形態に限定されるものではない。
【００２５】
《排水施設１の概略構成》
まず、本実施形態に係る排水施設１の概略構成について説明する。図１は本実施形態に係る排水施設１の配管構成を表す概略構成図である。排水施設１は、シンク２を備えている。シンク２には、ディスポーザー３が接続されている。ディスポーザー３には、ディスポーザー用排水管２０が接続されている。ディスポーザー用排水管２０は大曲継手３０を介して排水横枝管４０に接続されている。排水横枝管４０は各種配管を介して図示しない下水管に接続されている。
【００２６】
ディスポーザー３には、食物屑等の固形物を含む排水がシンク２から流入するようになっている。流入した固形物はディスポーザー３内において細かく破砕され、破砕された固形物は排水と共にディスポーザー用排水管２０、大曲継手３０及び排水横枝管４０を介して下水管（図示せず）に流入するようになっている。
【００２７】
また、排水施設１には、ディスポーザー３とは異なる生活機器４が配置されている。生活機器４は、例えば食洗機のように、例えばディスポーザーのように多量の固形物を含む排水を排出するものではなく、少量の固形物を含む排水又は実質的に固形物を含まない排水を排出する類のものである。この類のものである限りにおいて生活機器４は特に限定されるものではない。
【００２８】
生活機器４には、生活機器４からの排水を排出するための生活機器用排水管５０が接続されている。生活機器用排水管５０は大曲継手３０を介して排水横枝管４０に接続されている。このため、生活機器４からの排水は、生活機器用排水管５０、大曲継手３０及び排水横枝管４０を介して下水管に流入するようになっている。
【００２９】
《大曲継手３０の構成》
次に、大曲継手３０の構成について、図２乃至５を参照しながら詳細に説明する。大曲継手３０は大曲管３１と継手枝管３５とを備えている。大曲管３１はディスポーザー用排水管２０と排水横枝管４０とを接続するためのものである。詳細に、大曲管３１は、湾曲状の大曲管本体３２と、大曲管本体３２の両端に接続された開口部３３、３４を備えている。図５に示すように、開口部３３は大曲管本体３２の内径よりも大きく且つディスポーザー用排水管２０の外径とほぼ等しい内径を有しており、ディスポーザー用排水管２０は端面３３ａに当接するように開口部３３に挿入されて固定されている。一方、開口部３４は大曲管本体３２の内径よりも大きく且つ排水横枝管４０の外径とほぼ等しい内径を有しており、排水横枝管４０は端面３４ａに当接するように開口部３４に挿入されて固定されている。尚、本実施形態では、ディスポーザー用排水管２０の内径、大曲管本体３２の内径及び排水横枝管４０の内径は相互に略同一に設定されている。
【００３０】
ディスポーザー用排水管２０、大曲管本体３２及び排水横枝管４０のそれぞれの内径は特に限定されるものではなく、それぞれの単位時間当たりの排水量に応じて適宜設定すればよい。例えば、φ４０ｍｍ〜５０ｍｍ程度とすることができる。継手枝管３５の内径も、特に限定されるものではなく、生活機器４の排水量に応じて適宜設定すればよい。但し、継手枝管３５は、ディスポーザー用排水管２０等のように固形物をあまり含まない排水を排出するためのものであるため、それほど大きな内径を有するものでなくてもよい。継手枝管３５の内径は、φ２０ｍｍ〜３０ｍｍ程度（例えば、２５ｍｍ程度）とすることができる。
【００３１】
継手枝管３５は、大曲管３１の湾曲部分に、排水横枝管４０と略平行に（すなわち、大曲管３１の開口部３４の軸方向と略平行に）連結されている。また、継手枝管３５は、排水横枝管４０の延びる方向（開口部３４の軸方向）とは反対方向に延びるように配置されている。継手枝管３５は、その内径が生活機器用排水管５０の外径とほぼ同一に設定されており、生活機器用排水管５０が挿入されて固定される。継手枝管３５の基端部３５ａは、断面多角形状（具体的には、断面略正六角形状）の内面３５ｂを備えている（図４も参照）。そして、生活機器用排水管５０が、基端部３５ａの内面の端面３５ｃに当接することにより生活機器用排水管５０と大曲継手３０との相対的位置関係が決められている。
【００３２】
但し、本発明においては、生活機器用排水管５０と大曲継手３０との接続形態は特に限定されるものではない。例えば、継手枝管３５の中央部の内径を生活機器用排水管５０の外径よりも小さくすると共に、先端部に生活機器用排水管５０の外径にまで拡径された開口部を設けて、その開口部に生活機器用排水管５０を挿入して固定するようにしてもよい。同様に、ディスポーザー用排水管２０及び排水横枝管４０と大曲継手３０との接続態様も特に限定されるものではない。
【００３３】
−庇部３６の形状−
継手枝管３５は、枝管本体３７と庇部３６とを備えている。枝管本体３７は大曲管３１（具体的には、大曲管本体３２）の内周面に開口する筒状に形成されている。庇部３６は、枝管本体３７の端面から、ディスポーザー用排水管２０の延びる方向から視たときに、枝管本体３７の開口部を覆うように（すなわち、枝管本体３７の開口部が見えないように）大曲管本体３２の内方に向かって延びるように形成されている（図３も参照）。
【００３４】
より具体的に説明すると、庇部３６は、枝管本体３７の端面から延びる円筒状に形成されており、先端部の下半分が大曲管本体３２の内周面と面一となるように切欠かれている。庇部３６は、その上部先端３６ａが、ディスポーザー用排水管２０の延びる方向から視たときに、枝管本体３７の管底の基端３５ｄと同位置か、又は基端３５ｄよりも大曲管本体３２の内側に突出するように（内側にまで延びるように）形成されている。
【００３５】
−継手枝管３５の接続位置−
次に、継手枝管３５の大曲管本体３２への接続位置について図５を参照しながら説明する。継手枝管３５は、大曲管本体３２の開口部３３側の端部に連結されている。すなわち、継手枝管３５は、大曲管本体３２の極力上の方に連結されている。そして、継手枝管３５は、その大曲管本体３２との連結部の管底３５ｅが排水横枝管４０の管中心（Ｃ）よりも鉛直方向において高い位置に位置するように設けられている。言い換えれば、継手枝管３５は、管底３５ｅが排水横枝管４０の管中心（Ｃ）よりも開口部３３寄りとなるように大曲管本体３２に接続されている。さらには、継手枝管３５は、その大曲管本体３２との連結部の管底３５ｅが排水横枝管４０の管頂４０ｂよりも鉛直方向において高い位置に位置するように設けられている。言い換えれば、継手枝管３５は、管底３５ｅが排水横枝管４０の管頂４０ｂよりも開口部３３寄りとなるように大曲管本体３２に接続されている。
【００３６】
《作用及び効果》
通常、排水横枝管４０の内径は排水横枝管４０に流入する排水の単位時間あたりの体積によって決定されている。具体的には、排水横枝管４０の内径は、単位時間あたりに流入する排水の体積が最も多くなるときに、排水横枝管４０における水位が排水横枝管４０の管中心（Ｃ）程度となるように設計される。然るに、本実施形態では、継手枝管３５は、その大曲管本体３２との連結部の管底３５ｅが排水横枝管４０の管中心（Ｃ）よりも鉛直方向において高い位置に位置するように設けられている。このため、たとえ排水横枝管４０内の水位が上昇した場合であっても、ディスポーザー用排水管２０を流れる固形分を含む排水が継手枝管３５、さらには生活機器用排水管５０に流入することが効果的に抑制される。その結果、継手枝管３５や生活機器用排水管５０にディスポーザー３からの排水に含まれる固形分が残留堆積することが抑制され、メンテナンス性が向上する。
【００３７】
さらに、本実施形態では、その大曲管本体３２との連結部の管底３５ｅが排水横枝管４０の管頂４０ｂよりも鉛直方向において高い位置に位置するように設けられている。このため、排水横枝管４０の水位が排水横枝管４０の管頂４０ｂにまで達するような不測の事態が生じたような場合にも、ディスポーザー用排水管２０からの排水が継手枝管３５や生活機器用排水管５０に流入することを効果的に抑制することができる。
【００３８】
ディスポーザー用排水管２０を流れる排水は、ディスポーザー用排水管２０が鉛直方向を向いている部分においては、ディスポーザー用排水管２０の内周面を伝って流れていく。ところが、ディスポーザー用排水管２０からの排水の流れる方向が変化する大曲継手３０部分では、排水が飛び跳ねる。このため、例えば、継手枝管３５を、その基端部の管底３５ｅが排水横枝管４０の管中心（Ｃ）よりも低くなるような大曲管本体３２の比較的低い位置（開口部３４寄りの位置）に接続しているような場合には、排水の飛び跳ねにより、継手枝管３５に相当量の排水が流れ込む虞がある。それに対して、本実施形態では、大曲管本体３２の比較的高い位置（開口部３３寄りの位置）に継手枝管３５が接続されているため、排水の飛び跳ねによる継手枝管３５への排水の流れ込みも効果的に抑制することができる。
【００３９】
本実施形態では、継手枝管３５は、その内径がディスポーザー用排水管２０の内径（排水横枝管４０の内径、大曲管本体３２の内径と実質同一）よりも小さく設定されている。このように継手枝管３５の内径を比較的小さく設定しても、継手枝管３５には、それほど多くの固形分を含む排水が原則として流れ込まないため、大きな支障はない。その一方で、継手枝管３５をこのように比較的小口径にすることによって、継手枝管３５の管底３５ｅを排水横枝管４０の管中心（Ｃ）よりも高い位置に位置するように継手枝管３５を接続すると共に、大曲継手３０、ひいては排水管構造１０をコンパクト化することが可能となるという利点がある。これにより、排水管構造１０を狭いスペースにも配置することが可能となる。
【００４０】
継手枝管３５は、排水横枝管４０の延びる方向（大曲管３１の開口部３４の軸方向、図５でいえば左方向）とは反対方向（図５における右方向）に延びるように配置されている。このため、継手枝管３５からの排水が排水横枝管にスムーズに流入する。
【００４１】
また、本実施形態では、庇部３６が設けられている。これによりディスポーザー用排水管２０の内壁を伝って流れてきた排水が継手枝管３５に流入することが抑制される。例えば、鉛直に延びる直管に枝管を接続するような場合は、庇部の長さはどの程度であってもさして効果は変わらない。しかしながら、本実施形態では、継手枝管３５は湾曲する大曲管本体３２に接続されているため、庇部３６が、ディスポーザー用排水管２０の延びる方向から視たときに枝管本体３７の開口を覆うようなものでない場合、すなわち、ディスポーザー用排水管２０の延びる方向から視たときに継手枝管３５の基端３５ｄよりも庇部３６の上部先端３６ａが径方向外側に位置するような場合は、継手枝管３５への排水の流入を十分に防ぐことはできない。庇部３６が、ディスポーザー用排水管２０の延びる方向から視たときに枝管本体３７の開口を覆うようなものでない場合は、ディスポーザー用排水管２０の内壁を伝って流れてきた排水が庇部３６にはじかれた後に庇部３６よりも径方向内側に突出して位置する継手枝管３５の管底３５ｅに当たって継手枝管３５に流入する虞があるからである。庇部３６をディスポーザー用排水管２０の延びる方向から視たときに枝管本体３７の開口を覆うように形成することによって、庇部３６によってはじかれた排水が継手枝管３５に流入することを効果的に抑制することができる。以上説明したように、庇部３６の突出量をある一定以上に設定する必要があることは、鉛直に延びる直管に枝管を接続する際には問題とならないことであって、本実施形態のように湾曲した箇所に枝管を設ける際に初めて問題となることである。
【００４２】
尚、庇部３６をディスポーザー用排水管２０の延びる方向から視たときに枝管本体３７の開口を覆うように形成する場合、継手枝管３５の接続位置が下方にいくほど庇部３６を長くしなければならなくなる。このため、大曲管本体３２の流路が狭くなり、効率的な排水が困難となる。このため、庇部３６をディスポーザー用排水管２０の延びる方向から視たときに枝管本体３７の開口を覆うように形成する場合は、上述のように継手枝管３５を大曲管本体３２の比較的上部接続することによって、大きな流路を確保できるという利点もある。
【００４３】
以上、本実施形態では、継手枝管３５が排水横枝管４０の延びる方向とは反対方向に延びるように大曲管本体３２に接続されている例を挙げて説明したが、継手枝管３５は大曲管本体３２に接続されているのであれば、どのような方向に延びるように接続されていてもよい。また、生活機器が複数設けられているような場合には、排水横枝管４０を使用用途に応じて複数設けるようにしてもよい。
【００４４】
また、本実施形態では、庇部３６を設けた例について説明したが、継手枝管３５の接続位置を所定位置よりも高くすることのみでも継手枝管３５における固形物の堆積は効果的に抑制される。このため、庇部３６は、必ずしも必須の構成ではない。
【産業上の利用可能性】
【００４５】
本発明は、ディスポーザーを備えた排水管構造及び排水施設に有用である。
【図面の簡単な説明】
【００４６】
【図１】排水施設の配管構成を表す概略構成図である。
【図２】大曲継手の側面図である。
【図３】大曲継手の平面図である。
【図４】図２におけるIV−IV矢視図である。
【図５】図３におけるV−V矢視図である。
【図６】従来のディスポーザーを備えた排水施設の概略構成図である。
【図７】従来の排水施設における排水管構造の三方継手付近の拡大断面図である。
【符号の説明】
【００４７】
１            排水施設
２            シンク
３            ディスポーザー
４            生活機器
１０            排水管構造
２０            ディスポーザー用排水管
３０            大曲継手
３１            大曲管
３２            大曲管本体
３３、３４      開口部
３５            継手枝管
３６            庇部
３７            枝管本体
４０            排水横枝管
５０            生活機器用排水管
【図１】
2008101413.tif 000003
【図２】
2008101413.tif 000004
【図３】
2008101413.tif 000005
【図４】
2008101413.tif 000006
【図５】
2008101413.tif 000007
【図６】
2008101413.tif 000008
【図７】
2008101413.tif 000009